(57)【要約】
【課題】本考案は、ランプ交換の容易化、部品点数の削減、リサイクルの容易化を図ることができるランプ装置を提供する。
【解決手段】本考案のランプ装置は、椀状の反射面部２と、この反射面部２に連なるソケット部３とをセラミック材により一体形成した灯具本体１と、反射面部２に連なるソケット部３に組み込んだ光源ランプ４と、前記光源ランプ４に接続されるとともに、ソケット部３から導出されたリード線７ａ、７ｂの端部に接続した電源接続用の接続ピン６とを有することを特徴とするものである。
【選択図】図２
0003099549.tif 000002
【実用新案登録請求の範囲】
【請求項１】
　椀状の反射面部と、この反射面部に連なるソケット部とをセラミック材により一体形成した灯具本体と、
　前記反射面部に連なるソケット部に組み込んだ光源ランプと、
　を有することを特徴とするランプ装置。
【請求項２】
　椀状の反射面部と、この反射面部に連なるソケット部とをセラミック材により一体形成した灯具本体と、
　前記反射面部に連なるソケット部に組み込んだ光源ランプと、
　前記光源ランプに接続されるとともに、ソケット部から導出されたリード線の端部に接続した電源接続用の接続具と、
　を有することを特徴とするランプ装置。
【請求項３】
　椀状の反射面部と、この反射面部に連なるソケット部とをセラミック材により一体形成したとともに反射面部の中心線に対して直交する方向の外方に突出した突出部を有する灯具本体と、
　前記ソケット部に組み込んだ光源ランプと、
　前記灯具本体の突出部の突出端に取り付けられるとともに灯具本体内で光源ランプに接続された電源接続用の即結用接続具と、
　を有することを特徴とするランプ装置。
【請求項４】
　椀状の反射面部と、この反射面部に連なるソケット部とをセラミック材により一体形成した灯具本体と、
　前記ソケット部に組み込んだ光源ランプと、
　前記光源ランプに接続されるとともに灯具本体の端面から突出させたベースピンと、
　を有することを特徴とするランプ装置。
【請求項５】
　前記光源ランプは、ＬＥＤランプ、ハロゲンランプ、ＨＩＤランプの中から選定されるものである請求項１乃至４のいずれかに記載のランプ装置。
【考案の詳細な説明】
【技術分野】
【０００１】
　本考案は、セラミック材からなる灯具と、例えばＬＥＤランプのような光源ランプとからなるランプ装置に関するものである。
【背景技術】
【０００２】
　従来、発光時に高熱を発する白熱灯のような光源ランプは、耐熱性を有する材料からなるランプホルダに組み込まれて使用することが多い。
【０００３】
　従来のランプ装置の一例を図８を参照して説明する。
　図８に示すランプ装置は、例えばアルミニウム等の金属製で椀状の反射面部５１と、この反射面部５１に組み込んだ光源ランプ５０と、反射面部５１の底部側から突出された接続ピン５３が装着されるセラミック材からなる円柱状のソケット５４と、このソケット５４の外周を覆う金属製の筒状ケース５５と、前記ソケット５４から下方に突出させた前記接続ピン５３とソケット５４内で接続される連結ピン５６に一端を接続し、他端側に図示しない接続プラグを有するリード線５７とを有している。なお、図８中、５８はこのランプ装置を回動可能に支持するアームである。
【０００４】
　従来のランプ装置の他例を図９を参照して説明する。
　図９に示すランプ装置は、ガラス製の椀状の反射面部６１と、この反射面部６１に組み込んだ筒状のセラミックベース６２、口金６３を備えた光源ランプ６０と、前記口金６３が嵌着されるセラミック製のソケット６４と、このセラミックソケット６４を支持するソケット台６５と、セラミックソケット６４、ソケット台６５の外周を覆う金属製の筒状ケース６６と、前記口金６３に一端を接続し、他端側に図示しない接続プラグを有するリード線６７とを有している。
【０００５】
　しかし、上述した図８、図９に示すランプ装置の場合、部品点数が多く、高価であるとともに、金属製の筒状ケース５５、６６にソケット５４、６４が固定され、またリード線配線があるため、ランプ装置自体のメンテナンス、ソケット５４、６４のメンテナンスが難しいという問題がある。
【０００６】
　また、上述した図８、図９に示すランプ装置の場合、筒状ケース５５、６６内のソケット５４、６４に各々光源ランプ５０、６０を装着する構成であるために、例えば天井等の高所でのランプ交換時の脱着が困難であるという問題がある。
【０００７】
　特許文献１には、椀状のセラミック容器をホルダとし、ホルダ内にＬＥＤランプを装填し、更にホルダにＬＥＤランプを囲むようにして例えば金属製で椀状の反射鏡を組み込んだ構成のソケット付ＬＥＤランプが開示されている。
【０００８】
　しかし、このソケット付ＬＥＤランプの場合、ホルダであるセラミック容器の他に金属製で椀状の反射鏡を用いる構造であるために、部品点数が多くなり価格が上昇すること、リサイクル又は廃棄処分の際にはホルダから金属製の反射鏡を取り外し個別に取り扱うことが必要であること等の問題がある。
【特許文献１】登録実用新案第３０９４２７８号公報
【考案の開示】
【考案が解決しようとする課題】
【０００９】
　解決しようとする問題点は、高所でのランプ交換の困難性、ランプ装置が複数部品からなることにより生じる部品点数の増加、リサイクル又は廃棄処分の煩雑さを解消する点にある。
【課題を解決するための手段】
【００１０】
　椀状の反射面部とソケット部とをセラミック材により一体形成して灯具本体とし、反射面部の最深部にＬＥＤランプのような光源ランプを組み込み、更にソケット部から導出したリード線の端部に電源接続用の接続具を接続したことを主要な特徴とする。
【考案の効果】
【００１１】
　本考案によれば、椀状の反射面部とソケット部とをセラミック材により一体形成し、当該反射面部内にＬＥＤランプのような光源ランプを組み込む構成としたことにより、部品点数の削減、高所でのランプ交換の容易化、リサイクル又は廃棄処分の簡略化を図ることができるランプ装置を提供できる。
【考案を実施するための最良の形態】
【００１２】
　部品点数の削減、高所でのランプ交換の容易化、リサイクル又は廃棄処分の簡略化という目的を、椀状の反射面部とソケット部とをセラミック材により一体形成した灯具本体と、反射面部の最深部に組み込んだ光源ランプと、ソケット部から導出したリード線の端部に電源接続用の接続具を接続を有する構成とすることで達成した。
【実施例１】
【００１３】
　以下に本考案の実施例を詳細に説明する。
　本実施例の光源ランプ装置は、図１乃至図３に示すように、椀状に形成した反射面部２と例えば略直方体状のソケット部３とをセラミック材により一体形成した灯具本体１と、灯具本体１の反射面部２の最深部に組み込んだ光源ランプである例えばＬＥＤランプ４と、ＬＥＤランプ４からソケット部３を貫通するように導出した一対のリードピン５ａ、５ｂに対して一端側を各々接続し、他端側を直流電源接続用の接続具を構成する接続ピン６に各々接続した２本のリード線７ａ、７ｂとを具備している。前記反射面部２の内面は、例えば開口側に向けて所定の湾曲をもった放物面形状で、且つ、鏡面状に仕上げられている。
　なお、図示する符号８、９、１０、１１は、前記接続ピン６に接続されるピン受具８、リード線９、１００Ｖ等の商用電源接続用のＡＣアダプタ１０からなる電源用接続具１１である。電源用接続具１１は、例えば交流電源用接続具である。
【００１４】
　上記構成の光源ランプ装置によれば、前記反射面部２と略直方体状のソケット部３とをセラミック材により一体形成したことにより、部品点数の削減による低価格化を図ることができるとともに、金属製のミラーのような構成部品が無くなり絶縁性に優れるとともに、安全面、耐久性に優れ、リサイクルも容易な光源ランプ装置を提供することができる。
　また、前記接続ピン６、電源用接続具１１を備える構成とすることにより、この光源ランプ装置を容易に電源に接続して点灯させたり、電源から離脱させてランプ交換を行ったりすることができる。
【実施例２】
【００１５】
　次に、図４、図５を参照して本考案の他の実施例について説明する。
　図４、図５に示す光源ランプ装置は、椀状に形成した反射面部２と、反射面部２に連なる略円錐状で外方（反射面部２の中心線に対して直交する方向）に突出する円柱状の突出部３ａを有するソケット部３とをセラミック材により一体形成した灯具本体１Ａと、灯具本体１Ａの反射面部２の最深部に組み込んだ光源ランプである例えばＬＥＤランプ４と、前記突出部３ａの突出端に取り付けられられるとともに灯具本体１Ａ内でＬＥＤランプ４に接続された電源接続用の即結用接続具１２とを有している。
【００１６】
　この光源ランプ装置は、図５に示すように、例えば天井２０に対してアーム２１により吊り下げた即結受具（ジャック）２２に、前記即結用接続具１２を差し込むことで、迅速にこの光源ランプ装置を天井２０の下方で点灯させ、スポット光源として点灯さることができる。
　なお、前記即結受具１２からアーム２２内を経て天井２０の裏には電源供給ケーブルが配線されているが、ここでは図示省略する。
【００１７】
　図４、図５に示す光源ランプ装置によれば、即結用接続具１２を即結受具２２から取り外すことも容易であり、高所でのＬＥＤランプ４の交換も極めて容易であり、灯具本体１Ａのメンテナンスも極めて容易である。
　更に、セラミック材により形成した反射面部２の光の透過性を利用して反射面部２の裏面側に射出する裏面透過光による周囲の販売物品等の演出効果を発揮させることもできる。また、金属製のミラーのような構成部品が無くなり絶縁性に優れるとともに、安全面、耐久性に優れた光源ランプ装置を提供することができる。
【実施例３】
【００１８】
　図６は即結機能を有する光源ランプ装置の変形例を示すものであり、この光源ランプ装置は、椀状に形成した反射面部２と、反射面部２に連なる略円錐状で端部突出部３ｂを有するソケット部３とをセラミック材により一体形成した灯具本体１Ｂと、灯具本体１Ｂの反射面部２の最深部に組み込んだ光源ランプであるハロゲンランプ３１と、灯具本体１Ｂ内でハロゲンランプ３１に接続された電源接続用の即結用接続具３２とを有している。
【００１９】
　図６に示す光源ランプ装置によっても、既述した図４、図５に示す光源ランプ装置の場合と同様な作用、効果を発揮させることができる。
【実施例４】
【００２０】
　図７は光源ランプ装置の別の実施例を示すものであり、図７に示す光源ランプ装置は、椀状の反射面部２と、この反射面部２に連なる略直方体状のソケット部３とをセラミック材により一体形成した灯具本体１Ｃと、前記ソケット部３に組み込んだ光源ランプである例えばＬＥＤランプ４と、前記灯具本体１Ｃ内で前記ＬＥＤランプ４に接続されるとともに灯具本体１Ｃの端面から例えば数ｍｍ突出させたベースピン４１とを有している。
【００２１】
　図７に示す光源ランプ装置によれば、前記反射面部２と略直方体状のソケット部３とをセラミック材により一体形成したことにより、金属製のミラーのような構成部品が無くなり絶縁性に優れるとともに、安全面、耐久性に優れた光源ランプ装置を提供することができる。
　また、前記ベースピン４１を配線基板等に直接接続できる基板直結型の光源ランプ装置を提供することができる。
【産業上の利用可能性】
【００２２】
　本考案は、ＬＥＤランプの他、ハロゲンランプ、ＨＩＤランプ等各種のランプを用いるランプ装置にも適用可能である。
【図面の簡単な説明】
【００２３】
【図１】本考案の実施例のランプ装置の開口側から見た平面図である。
【図２】本考案の実施例のランプ装置の概略正面図である。
【図３】本考案の実施例のランプ装置の断面図である。
【図４】本考案の実施例の即結機能を有するランプ装置の概略斜視図である。
【図５】図４に示すランプ装置の使用状態を示す斜視図である。
【図６】本考案の実施例の即結機能を有するランプ装置の変形例の概略斜視図である。
【図７】本考案の別の実施例のランプ装置の概略正面図である。
【図８】従来のランプ装置の一部を断面で示す概略斜視図である。
【図９】従来のランプ装置の一部を断面で示す概略斜視図である。
【符号の説明】
【００２４】
　１　　灯具本体
　１Ａ　灯具本体
　１Ｂ　灯具本体
　１Ｃ　灯具本体
　２　　反射面部
　３　　ソケット部
　３ａ　突出部
　３ｂ　端部突出部
　４　　光源ランプ
　５ａ、５ｂ　リードピン
　６　　接続ピン
　７ａ、７ｂ　リード線
　８　　ピン受具
　９　　リード線
１０　　ＡＣアダプタ
１１　　電源用接続具
１２　　即結用接続具
２０　　天井
２１　　アーム
２２　　即結受具
３１　　ハロゲンランプ
３２　　即結用接続具
４１　　ベースピン
【図１】
0003099549.tif 000003
【図２】
0003099549.tif 000004
【図３】
0003099549.tif 000005
【図４】
0003099549.tif 000006
【図５】
0003099549.tif 000007
【図６】
0003099549.tif 000008
【図７】
0003099549.tif 000009
【図８】
0003099549.tif 000010
【図９】
0003099549.tif 000011